(57)【要約】【課題】フラッパへの接着剤等の付着を防止できるソレノイドを得る。【解決手段】本ソレノイド１０では、硬質の合成樹脂材によって形成された消音材５０の係合部５４には、左右方向に貫通した矩形孔５８が形成されている。この矩形孔５には、ヨーク２２に形成された保持片４８が入り、消音材５０は、保持片４８によって保持される。このように、消音材５０を保持片４８に保持させるに際して接着剤等を用いない。このため、フラッパ３２に接着剤等が付着することを防止できる。【選択図】図１
2020194822.tif 000002
【特許請求の範囲】
【請求項１】
筒状のコイルを有し、前記コイルが通電されることによって周囲に磁界が形成されるソレノイド本体と、
前記コイルの軸方向一端側に設けられ、前記コイルの軸方向一端から離れる方向である離間方向の側へ付勢されると共に、前記磁界によって前記コイルの軸方向一端へ接近する方向である接近方向の側へ移動されるフラッパと、
前記コイルの軸直交方向外側に設けられた保持部材と、
前記磁界による前記フラッパの移動方向側で前記保持部材に嵌合されることによって前記保持部材に保持され、前記磁界によって移動された前記フラッパが当接されることによって前記コイルの軸方向一端部及び前記保持部材に前記フラッパが衝突することを阻止し、当接された際の衝撃を吸収する衝撃吸収部材と、
を備えるソレノイド。
【請求項２】
前記保持部材の少なくとも一部は、前記磁界を構成する磁力線が内部を流れるヨークとされた請求項１に記載のソレノイド。
【請求項３】
前記衝撃吸収部材は、前記接近方向の側へ移動した前記フラッパと前記保持部材との間に介在し、前記接近方向の側へ移動した前記フラッパが当接すると共に、前記フラッパとの当接部分とは反対側の部分が前記保持部材から離れた当接部を備える請求項１又は請求項２に記載のソレノイド。
【請求項４】
前記衝撃吸収部材は、前記フラッパと前記衝撃吸収部材との当接状態における前記フラッパと前記衝撃吸収部材との対向方向に対して直交する方向から前記保持部材が入る筒状の係合部を備える請求項１から請求項３の何れか１項に記載のソレノイド。
【請求項５】
前記係合部における前記係合部の開口方向及び前記対向方向の双方に対して交差する方向の中間部で、前記係合部における前記対向方向に対向する部分を繋ぐ連結部を備える請求項４に記載のソレノイド。
【発明の詳細な説明】
【技術分野】
【０００１】
本発明は、通電されたコイルが形成する磁界によってフラッパを移動させるソレノイドに関する。
【背景技術】
【０００２】
下記特許文献１に開示されたソレノイドでは、ソレノイドが作動されてフラッパが移動すると、フラッパは、フレームに設けられた消音材に当接される。ここで、消音材は、接着剤等によってフレームに貼り付けられている。このため、消音材をフレームに貼り付けるための接着剤等がフラッパに付着する可能性がある。
【先行技術文献】
【特許文献】
【０００３】
【特許文献１】特開２０１８−１２１０４２号公報
【発明の概要】
【発明が解決しようとする課題】
【０００４】
本発明は、上記事実を考慮して、フラッパへの接着剤等の付着を防止できるソレノイドを得ることが目的である。
【課題を解決するための手段】
【０００５】
請求項１に記載のソレノイドは、筒状のコイルを有し、前記コイルが通電されることによって周囲に磁界が形成されるソレノイド本体と、前記コイルの軸方向一端側に設けられ、前記コイルの軸方向一端から離れる方向である離間方向の側へ付勢されると共に、前記磁界によって前記コイルの軸方向一端へ接近する方向である接近方向の側へ移動されるフラッパと、前記コイルの軸直交方向外側に設けられた保持部材と、前記磁界による前記フラッパの移動方向側で前記保持部材に嵌合されることによって前記保持部材に保持され、前記磁界によって移動された前記フラッパが当接されることによって前記コイルの軸方向一端部及び前記保持部材に前記フラッパが衝突することを阻止し、当接された際の衝撃を吸収する衝撃吸収部材と、を備えている。
【０００６】
請求項１に記載のソレノイドによれば、ソレノイド本体のコイルが通電されると、ソレノイド本体の周囲に磁界が形成され、これによって、フラッパは、付勢力に抗してコイルの軸方向一端へ接近する方向である接近方向の側へ移動される。このように、フラッパが接近方向の側へ移動されると、フラッパは、衝撃吸収部材に当接される。フラッパが衝撃吸収部材に当接されることによって、フラッパのコイルの軸方向端部及び保持部材への衝突が阻止又は抑制される。また、フラッパが衝撃吸収部材に当接された際の衝撃は、衝撃吸収部材によって吸収される。これによって、フラッパが移動された際の衝撃音の発生が抑制される。
【０００７】
ここで、衝撃吸収部材は、ソレノイド本体に設定された保持部材に嵌合されることによって保持部材に保持される。このように、衝撃吸収部材をソレノイド本体へ取り付けるにあたり、粘着性を有する材料（一例として、接着剤）が不要である。このため、粘着性を有する材料がフラッパに付着することに起因することによる粘着性を有する材料のフラッパの動作への影響がなくなり、フラッパの動作が安定する。
【０００８】
請求項２に記載のソレノイドは、請求項１に記載のソレノイドにおいて、前記保持部材の少なくとも一部は、前記磁界を構成する磁力線が内部を流れるヨークとされている。
【０００９】
請求項２に記載のソレノイドによれば、保持部材は、ヨークとされ、ソレノイド本体のコイルが通電されてソレノイド本体の周囲に磁界が形成されると、磁界を構成する磁力線がヨークの少なくとも一部の内部を流れる（すなわち、保持部材としてのヨークが磁界の磁路を形成する）。このため、ヨークとは別に衝撃吸収部材を保持するための保持部材を設けなくてもよく、ソレノイドの大型化を抑制できる。
【００１０】
請求項３に記載のソレノイドは、請求項１又は請求項２に記載のソレノイドにおいて、前記衝撃吸収部材は、前記接近方向の側へ移動した前記フラッパと前記保持部材との間に介在し、前記接近方向の側へ移動した前記フラッパが当接すると共に、前記フラッパとの当接部分とは反対側の部分が前記保持部材から離れた当接部を備えている。
【００１１】
請求項３に記載のソレノイドでは、衝撃吸収部材の当接部は、接近方向の側へ移動されたフラッパと保持部材との間に介在する。ここで、当接部は、保持部材から離れて設けられている。このため、接近方向の側へ移動されたフラッパが当接部へ当接された際に、当接部は、保持部材側へ変形できる。したがって、フラッパが当接部へ当接された際の衝撃が、当接部の保持部材側への変形によって吸収される。これによって、フラッパが移動された際の衝撃音の発生を効果的に抑制できる。また、フラッパが当接部へ当接された際の衝撃を当接部の保持部材側への変形によって吸収できるため、当接部を硬質にできる。
【００１２】
請求項４に記載のソレノイドは、請求項１から請求項３の何れか１項に記載のソレノイドにおいて、前記衝撃吸収部材は、前記フラッパと前記衝撃吸収部材との当接状態における前記フラッパと前記衝撃吸収部材との対向方向に対して直交する方向から前記保持部材が入る筒状の係合部を備えている。
【００１３】
請求項４に記載のソレノイドでは、衝撃吸収部材は、筒状の係合部を備えている。係合部には保持部材が入り、保持部材が係合部に入ることによって、係合部、ひいては、衝撃吸収部材が保持部材によって保持される。ここで、係合部に対して保持部材は、フラッパと衝撃吸収部材との当接状態におけるフラッパと衝撃吸収部材との対向方向に対して直交する方向から保持部材が入る。したがって、保持部材に対し、上記の対向方向のフラッパ側のみならず、フラッパとは反対側にも係合部が存在し、保持部材は、係合部によって上記の対向方向に挟まれる。このため、保持部材に対する係合部の上記の対向方向への変位、すなわち、上記の対向方向側への係合部のガタの発生を抑制できる。
【００１４】
請求項５に記載のソレノイドは、請求項４に記載のソレノイドにおいて、前記係合部における前記係合部の開口方向及び前記対向方向の双方に対して交差する方向の中間部で、前記係合部における前記対向方向に対向する部分を繋ぐ連結部を備えている。
【００１５】
請求項５に記載のソレノイドでは、連結部が係合部に設けられる。連結部は、係合部において係合部の開口方向及びフラッパと衝撃吸収部材との当接状態におけるフラッパと衝撃吸収部材との対向方向の双方に対して交差する方向の中間部で係合部において上記の対向方向に対向する部分を繋ぐ。これによって、係合部が上記の対向方向に撓むことを抑制でき、更に効果的に対向方向側への係合部のガタの発生を抑制できる。
【発明の効果】
【００１６】
以上、説明したように、本発明に係るソレノイドでは、フラッパへの接着剤等の付着を防止できる。
【図面の簡単な説明】
【００１７】
【図１】第１の実施の形態に係るソレノイドの斜視図で、（Ａ）は、フラッパが上昇している状態を示し、（Ｂ）は、フラッパが下降した状態を示す。
【図２】（Ａ）は、消音材の左側からの側面図を示し、（Ｂ）は、消音材の下側からの底面図を示す。
【図３】保持片を拡大した斜視図である。
【図４】（Ａ）は、第２の実施の形態における消音材の拡大斜視図で、（Ｂ）は、第３の実施の形態における消音材の拡大斜視図である。
【図５】（Ａ）は、第４の実施の形態における消音材の拡大斜視図で、（Ｂ）は、第５の実施の形態における消音材の拡大斜視図である。
【図６】第６の実施の形態に係るソレノイドの斜視図である。但し、図６において消音材は、ヨークの保持片へ組み付ける前の状態を示し、また、図６では、フラッパ、引張コイルばねの図示は省略している。
【発明を実施するための形態】
【００１８】
次に、本発明の各実施の形態を図１から図６の各図に基づいて説明する。なお、以下の各実施の形態において、矢印ＦＲは、ソレノイド１０の前後方向前側を示し、以下の説明では、ソレノイド１０の前後方向を単に「前後方向」と称し、ソレノイド１０の前後方向前側を単に「前側」と称し、その反対側を単に「後側」と称する。また、矢印ＲＨは、ソレノイド１０の幅（左右）方向右側を示し、以下の説明では、ソレノイド１０の幅方向又は左右方向を単に「幅方向」又は「左右方向」と称し、ソレノイド１０の幅（左右）方向右側を単に「右側」と称し、その反対側を単に「左側」と称する。
【００１９】
矢印ＵＰは、ソレノイド１０の高さ（上下）方向上側を示し、以下の説明では、ソレノイド１０の高さ方向又は上下方向を単に「高さ方向」又は「上下方向」と称し、ソレノイド１０の高さ（上下）方向上側を単に「上側」と称し、その反対側を単に「下側」と称する。なお、これらの方向等は、以下の実施の形態を説明するために付した便宜上の方向であって、ソレノイド１０自体の形状やソレノイド１０が適用される各種装置等の方向とは関係がない。
【００２０】
＜第１の実施の形態の構成＞
図１（Ａ）及び図１（Ｂ）に示されるように、第１の実施の形態に係るソレノイド１０は、ソレノイド本体１２を備えている。ソレノイド本体１２は、合成樹脂材等の非磁性材料により形成されたボビン１４を備えている。ボビン１４は、筒状部（図示省略）を備えている。筒状部は、例えば、高さ方向に貫通した筒形状（一例としては、円筒形状）とされている。筒状部の上端部及び下端部にはフランジ部１６が形成されている。フランジ部１６は、筒状部の貫通方向（すなわち、高さ方向）に対して直交した筒状部の外側へ延びるように形成されている。ソレノイド１０の高さ方向側から見たフランジ部１６の外周形状は、矩形とされている。
【００２１】
両フランジ部１６の間でボビン１４の筒状部の外周部にはコイル１８が配置されている。コイル１８は、ボビン１４の筒状部の貫通方向を軸方向とする軸周り方向に筒状部の外周部に巻かれるように設けられている。これに対して、ボビン１４の筒状部の内側には、鉄心２０が設けられている。鉄心２０は、例えば、ボビン１４の筒状部の貫通方向に長い柱形状（一例としては、円柱形状）とされており、鉄等の磁性材料によって形成されている。
【００２２】
一方、ソレノイド１０は、保持部材としてのヨーク２２を備えている。ヨーク２２は、鉄等の磁性材料によって形成されている。ヨーク２２は、底板部２４を備えている。底板部２４は、コイル１８の下側でコイル１８及びボビン１４に対向するように配置されている。底板部２４の右側端からは右側板部２６が上側へ延びている。右側板部２６の上側端からは、前側支持片２８及び後側支持片３０が上側へ向けて延びている。後側支持片３０は、右側板部２６の後側の端部に設けられている。これに対して、前側支持片２８は、右側板部２６の前側の端部に設けられており、前側支持片２８の延出方向先端部（前側支持片２８の右側板部２６との接続部分とは反対側の端部）は、後側へ曲がっている。このため、前側支持片２８の延出方向先端部と、右側板部２６の上側端部との間には、所定の隙間が形成されている。
【００２３】
この右側板部２６の上側には、フラッパ３２が設けられている。フラッパ３２は、磁性材料によって形成されている。フラッパ３２は、基部３４を備えている。基部３４は、全体的に板状とされている。基部３４の前後方向寸法は、ヨーク２２の右側板部２６の前後方向寸法と同程度とされており、フラッパ３２の厚さ寸法は、上述した前側支持片２８の延出方向先端部と、右側板部２６の上側端部との間の隙間よりも小さく設定されている。
【００２４】
また、基部３４の右側の部分には、前後一対の凹部３６が形成されている。前側の凹部３６は、基部３４の厚さ方向に貫通していると共に、基部３４の前側端で開口されており、前側の凹部３６の内側には、ヨーク２２の前側支持片２８が貫通配置されている。これに対して、後側の凹部３６は、基部３４の厚さ方向に貫通していると共に、基部３４の後側端で開口されており、後側の凹部３６の内側には、ヨーク２２の後側支持片３０が貫通配置されている。これによって、基部３４（すなわち、フラッパ３２）の右側板部２６に対する移動が制限され、基部３４（すなわち、フラッパ３２）は、両凹部３６と前側支持片２８及び後側支持片３０との係合部分を概ね中心として、前後方向を軸方向とする軸周り方向へ所定角度上下に回動できる。
【００２５】
一方、基部３４における両凹部３６よりも右側の部分には、上側係止片３８が形成されている。上側係止片３８には付勢手段としての引張コイルばね４０の一端部が係止されている。引張コイルばね４０の他端部に対応してヨーク２２の右側板部２６には、下側係止片４２が形成されている。引張コイルばね４０の他端部は、右側板部２６の右側で下側係止片４２に係止されている。引張コイルばね４０は、フラッパ３２の基部３４における両凹部３６よりも右側の部分を略下側へ付勢している。
【００２６】
フラッパ３２の基部３４における両凹部３６よりも左側の部分は、コイル１８の上側でコイル１８から離れて配置されている。さらに、フラッパ３２は、操作片４３を備えている。操作片４３は、フラッパ３２の基部３４の左側端における前後方向中間部よりも後側の部分から左側へ延出されている。フラッパ３２が上記のように回動されると、本ソレノイド１０が適用される装置（一例として画像形成装置）の所定部分が操作片４３によって操作される。
【００２７】
一方、ヨーク２２は、左側板部４４を備えている。左側板部４４は、底板部２４の左側端から上側へ延びている。左側板部４４の後側にはブラケット４６が設けられており、本ソレノイド１０が適用される所定の装置（例えば、画像形成装置）にブラケット４６が固定されることによって本ソレノイド１０が所定の装置に取り付けられる。また、左側板部４４の上側には保持部としての保持片４８が設けられている。保持片４８は、板状とされており、保持片４８の厚さ方向は、上下方向とされ、保持片４８は、左側板部４４の上端から左側へ延びている。保持片４８には、衝撃吸収部材としての消音材５０が設けられている。
【００２８】
消音材５０は、比較的硬質の合成樹脂材を成形することによって形成されている。図２（Ａ）に示されるように、消音材５０は、ベース部５２を備えている。ベース部５２は、平板状とされており、ベース部５２の厚さ方向は、ソレノイド１０の高さ方向とされている。ベース部５２における左右方向中間部よりも左側部分は、係合部５４とされている。
【００２９】
係合部５４は、上板部５６を備えている。上板部５６は、板状とされており、上板部５６の厚さ方向は、上下方向とされている。上板部５６の前側端部及び後側端部は、上板部５６の前後方向中間部よりも下側へ延びて曲がっており、更に、上板部５６の前側端部及び後側端部における下側端は、ベース部５２に繋がっている。これによって、係合部５４には、左右方向に貫通した矩形孔５８が形成される。矩形孔５８の前後方向寸法は、ヨーク２２の保持片４８の前後方向寸法にほぼ等しくされている。また、矩形孔５８の上下方向寸法は、保持片４８の上下方向寸法（厚さ）寸法程度とされている。このため、保持片４８は、矩形孔５８の内側へ入ることができる。
【００３０】
また、ベース部５２には段部６０が設けられている。ベース部５２における段部６０の形成部分では、ベース部５２が厚くされており、ベース部５２における段部６０の形成部分では、ベース部５２と上板部５６との上下方向の間隔が、段部６０以外の部分よりも小さく（狭く）なっている。保持片４８が段部６０の上側に配置されるまで保持片４８が矩形孔５８の内側に入ると、段部６０が保持片４８の下側面へ圧接される。さらに、段部６０が保持片４８の下側面へ圧接されることによって。保持片４８の上側面が係合部５４の上板部５６へ圧接される。これによって、係合部５４の保持片４８に対する上下方向への相対移動が制限される。
【００３１】
さらに、ベース部５２には、一対の嵌合孔６２が形成されている。一対の嵌合孔６２の一方は、ベース部５２における段部６０よりも前側に形成されており、一対の嵌合孔６２の他方は、ベース部５２における段部６０よりも後側に形成されている。これらの嵌合孔６２は、上下方向に見て矩形とされており、ベース部５２を貫通している。図３に示されるように、これらの嵌合孔６２に対応してヨーク２２の保持片４８には、嵌合凸部６４が形成されている。嵌合凸部６４は、保持片４８の上側面から凸状に隆起されており、上側から見て嵌合孔６２と同じ（厳密には、外周形状が嵌合孔６２よりも僅かに小さい）矩形状とされている。
【００３２】
保持片４８が係合部５４の矩形孔５８の内側の所定位置へ到達すると、嵌合凸部６４が嵌合孔６２の内側に入る。この状態で、消音材５０が保持片４８に対して前後方向や左右方向へ相対移動しようとすると、嵌合孔６２の内周部が嵌合凸部６４の外周部へ当接して上記の相対移動を制限する。これによって、保持片４８に対する消音材５０の前後方向及び左右方向の位置決めが成されると共に、消音材５０の保持片４８からの抜け止めが成される。
【００３３】
また、図２（Ａ）に示されるように、係合部５４における矩形孔５８の内側には、２つの連結部６６が設けられている。連結部６６は、係合部５４の左側部分（ベース部５２及び上板部５６の左側部分）において前後方向に所定の間隔をおいて形成されており、連結部６６の前後両側に上記の段部６０が形成されている。連結部６６の上端は、矩形孔５８の内側で係合部５４の上板部５６に繋がっており、連結部６６の下端は、矩形孔５８の内側でベース部５２に繋がっている。
【００３４】
図３に示されるように、これらの連結部６６の各々に対応してヨーク２２の保持片４８には切欠部７０が形成されている。切欠部７０は、保持片４８の左側端部に設けられている。切欠部７０は、保持片４８の厚さ方向に貫通していると共に、保持片４８の左側端で開口されている。切欠部７０の前後方向寸法は、連結部６６の前後方向寸法に略等しく、切欠部７０の左右方向寸法は、連結部６６の左右方向寸法に略等しい。係合部５４の連結部６６が保持片４８の切欠部７０の内側に入った状態では、連結部６６の右側端、前側端、後側端が切欠部７０の内側における右側部分、前側部分、後側部分へそれぞれ当接する。これによって、係合部５４の保持片４８に対する前後方向への相対移動及び左側への相対移動が制限される。
【００３５】
なお、本実施の形態では、連結部６６及び切欠部７０の数は、それぞれ２つであった。しかしながら、連結部６６及び切欠部７０の数は、それぞれ１つであってもよいし、それぞれ３つ以上であってもよい。
【００３６】
一方、図１（Ａ）に示されるように、消音材５０は、消音部７２を備えている。図２（Ａ）に示されるように、消音部７２は、前板部７４と後板部７６とを備えている。前板部７４及び後板部７６の各々は、平板状とされている。前板部７４及び後板部７６の各々の長手方向は、前後方向に対して上下方向に傾いており、前板部７４の前側端は、前板部７４の後側端よりも下側に位置し、後板部７６の後側端は、後板部７６の後前端よりも下側に位置している。前板部７４の前側端部及び後板部７６の後側端部の各々は、下側へ曲がっている。前板部７４の前側端は、ベース部５２における係合部５４よりも右側でベース部５２の前側端部に繋がっている。これに対して、後板部７６の後側端は、ベース部５２における係合部５４よりも右側でベース部５２の後側端部に繋がっている。
【００３７】
前板部７４の後側端と後板部７６とは、当接部７８によって繋がっている。当接部７８は、平板状とされており、当接部７８の厚さ方向は、上下方向とされている。当接部７８の上側面は、鉄心２０及びボビン１４の各々の上側面よりも上側に位置している。また、当接部７８の下側面とベース部５２の上側面との間隔は、保持片４８の厚さ寸法よりも大きくされており、ベース部５２の段部６０が保持片４８の下側面へ当接した状態で、当接部７８の下側面とベース部５２の上側面との間には、隙間が形成される。
【００３８】
この当接部７８の上側には、フラッパ３２の操作片４３が配置されており、操作片４３が下降するようにフラッパ３２が回動されると、操作片４３が当接部７８へ接近されて当接部７８の上側面へ当接される。操作片４３が当接部７８の上側面へ当接された状態では、操作片４３が鉄心２０及びボビン１４の各々の上側面よりも上側に位置している。
【００３９】
＜第１の実施の形態の作用、効果＞
本実施の形態に係るソレノイド１０では、コイル１８が通電されると、コイル１８の周囲に磁界が形成され、この磁界を形成する磁力線は、鉄心２０及びヨーク２２を通過する。このように、磁界が形成されると、鉄心２０が磁化され、鉄心２０にて生じた磁力は、フラッパ３２を鉄心２０側へ引き付ける。これによって、図１（Ｂ）に示されるように、フラッパ３２は、引張コイルばね４０の付勢力に抗して回動され、フラッパ３２の両凹部３６よりも左側部分が下側へ移動される。
【００４０】
また、コイル１８への通電が停止されると、コイル１８の周囲に形成されていた磁界が解消され、鉄心２０の磁化が解消される。これによって、フラッパ３２を鉄心２０側へ引き付ける磁力が解消されると、フラッパ３２は、引張コイルばね４０の付勢力によって回動され、図１（Ａ）に示されるように、フラッパ３２の両凹部３６よりも左側部分が上側へ移動される。このように、フラッパ３２の両凹部３６よりも左側部分が昇降することによって本ソレノイド１０が適用される所定の装置（一例として画像形成装置）の所定部分がフラッパ３２の操作片４３によって操作される。
【００４１】
ところで、上記のように、コイル１８が通電されて鉄心２０にて生じた磁力によってフラッパ３２が回動されると、フラッパ３２の操作片４３が消音材５０の当接部７８へ接近されて当接部７８の上側面へ当接され、当接部７８は、操作片４３から荷重（衝撃）を受ける。ここで、当接部７８の下側面とヨーク２２の保持片４８の上側面との間には隙間が形成されている。
【００４２】
このため、上記の荷重が当接部７８に付与されると、当接部７８が下降するように当接部７８、前板部７４、後板部７６の少なくとも１つ、すなわち、消音材５０の消音部７２の少なくとも一部が弾性変形される。当接部７８が操作片４３から受けた荷重（衝撃）は、消音部７２の弾性変形に供されて吸収される。これによって、操作片４３が当接部７８へ衝突した際の衝突音（衝撃音）の発生を抑制又は防止でき、ソレノイド１０の静粛性能を向上できる。
【００４３】
また、ヨーク２２の保持片４８への消音材５０の取付状態では、消音材５０のベース部５２に設定された段部６０が保持片４８の下側面へ圧接され、保持片４８の上側面が係合部５４の上板部５６へ圧接される。これによって、係合部５４の保持片４８に対する上下方向への相対移動が制限される。さらに、この状態では、保持片４８の嵌合凸部６４がベース部５２の嵌合孔６２に嵌合されている。しかも、この状態では、係合部５４の連結部６６が保持片４８には切欠部７０に入っている。これによって、消音材５０は、保持片４８によって保持され、消音材５０の保持片４８に対する相対移動が制限される。
【００４４】
このように消音材５０が保持片４８に取り付けられるため、消音材５０を保持片４８に取り付けるに際して、接着剤等の粘着性を有する固定部材が不要になる。このため、粘着性を有する固定部材がフラッパ３２に付着することがない。フラッパ３２に付着した粘着性を有する固定部材が当接部７８等へ更に付着して、フラッパ３２の動作が固定部材の粘着力によって妨げられることがない。これによって、フラッパ３２の動作を安定させることができる。
【００４５】
一方、上記のように、消音材５０の当接部７８がフラッパ３２の操作片４３から受けた荷重（衝撃）によって消音部７２が弾性変形され、これによって、衝突音（衝撃音）の発生を抑制又は防止する。このように、操作片４３から受けた衝撃によって消音部７２は、弾性変形できればよく、したがって、消音部７２、ひいては、消音材５０を比較的硬質な合成樹脂材によって形成できる。このため、消音材５０を容易に量産できると共に、ヨーク２２の保持片４８へ消音材５０を取り付ける際に、消音材５０が不用意に変形することを抑制できる。これによって、保持片４８への消音材５０の組付作業を容易にでき、例えば、ロボット等による自動組付等も可能になる。
【００４６】
さらに、消音材５０は、ヨーク２２の一部である保持片４８に保持される。ここで、ヨーク２２は、鉄等によって形成されており、例えば、合成樹脂材によってボビン１４のフランジ部１６よりも厚く、機械的強度や荷重（衝撃）等に対する耐久性が高い。このため、消音材５０を長期間に亘り良好に保持できる。
【００４７】
また、消音材５０をボビン１４のフランジ部１６に設ける構成にすると、上記の機械的強度や荷重（衝撃）等に対する耐久性の観点からフランジ部１６を厚くしたり、フランジ部１６の形状を複雑にしたりする必要がある。このため、ボビン１４の大型化や、ボビン１４の成形が難しくなることがある。これに対して、本実施の形態では、消音材５０がヨーク２２の保持片４８に保持されるため、ボビン１４の大型化やボビン１４の形状の複雑化を抑制できる。
【００４８】
さらに、保持片４８には消音材５０が設けられるため、保持片４８は、フラッパ３２の回動方向側でフラッパ３２と対向する。したがって、ヨーク２２に磁界の磁力線が通過した際には、保持片４８がフラッパ３２を吸引する。これによって、コイル１８の巻数の低減等を図ることができる。
【００４９】
また、ヨーク２２の保持片４８に対する消音材５０の組付方向は、左右方向になり、消音材５０の当接部７８がフラッパ３２から受ける荷重（衝撃）の方向である下側とは直交又は大きく交差している。このため、当接部７８がフラッパ３２から受ける荷重（衝撃）又はその反動によって消音材５０が変位することを抑制でき、消音材５０を長期間に亘り良好に保持片４８に保持させることができる。
【００５０】
さらに、本実施の形態では、消音材５０の係合部５４の上板部５６における前後方向略中央部と消音材５０のベース部５２における前後方向略中央部とが連結部６６によって繋がっている。これによって、係合部５４の上板部５６とベース部５２とが上下方向に互いに離れるように変形することを抑制又は防止できる。これによって、フラッパ３２から受ける上記の衝撃や消音材５０の経年劣化等によって係合部５４の矩形孔５８の上下寸法が大きくなることを抑制でき、消音材５０を長期間に亘り良好に保持片４８に保持させることができる。
【００５１】
＜第２〜第５の各実施の形態＞
図４（Ａ）に示されるように、第２の実施の形態では、消音材５０の消音部７２は、前後一対の当接部７８を備えている。これらの当接部７８は、前後方向に離れて配置されている。前側の当接部７８の前側端は、前板部７４の後側端に繋がっており、後側の当接部７８の後側端は、後板部７６の前側端に繋がっている。一方、図４（Ｂ）に示されるように、第３の実施の形態では、消音材５０の消音部７２は、左右一対の当接部７８を備えている。これらの当接部７８は、左右方向に離れて配置されている。右側の当接部７８の後側端は、後板部７６の前側端に繋がっており、左側の当接部７８の前側端は、前板部７４の後側端に繋がっている。
【００５２】
また、図５（Ａ）に示されるように、第４の実施の形態では、消音材５０の消音部７２は、複数の当接部７８を備えている。本実施の形態では、これらの当接部７８は、前後方向に所定の間隔をおいて配置されており、各当接部７８の左側端は、係合部５４の上板部５６に繋がっている。さらに、図５（Ｂ）に示されるように、第５の実施の形態では、前後方向に所定の間隔をおいて配置された複数の当接部７８の右側端部が連結されている。
【００５３】
以上の第２〜第５の各実施の形態における当接部７８の各々は、その平面視形状（上側から見た形状）を矩形と見做した場合、その一辺でしかベース部５２又は係合部５４の上板部５６へ連結されていない。しかしながら、このような各実施の形態でも、前記第１の実施の形態と同様の効果を得ることができる。
【００５４】
＜第６の実施の形態＞
図６に示されるように、本実施の形態では、消音材５０は、一対の嵌合爪９２を供えている。一方の嵌合爪９２は、前板部７４の前側端部の下側に形成され、他方の嵌合爪９２は、後板部７６の後側端部の下側に形成されている。これらの嵌合爪９２の左右方向略中央部にはスリット９４が形成されている。スリット９４は、前後方向に嵌合爪９２を貫通していると共に、嵌合爪９２の下側端で開口されている。このため、嵌合爪９２の下端側では、スリット９４を挟んだ両側部分が左右方向に互いに接離するように弾性変形できる。
【００５５】
これらの嵌合爪９２に対応してヨーク２２の保持片４８には、一対の嵌合溝９６が形成されている。これらの嵌合溝９６は、保持片４８の厚さ方向（上下方向）に保持片４８を貫通していると共に、一方の嵌合溝９６は、保持片４８の前端で開口し、他方の嵌合溝９６は、保持片４８の後端で開口している。
【００５６】
本実施の形態では、消音材５０が上側から保持片４８に組み付けられる。消音材５０の保持片４８への組付状態では、嵌合爪９２が嵌合溝９６に貫通配置され、嵌合爪９２の下側部分が、嵌合溝９６よりも左右両側で保持片４８の下側面へ対向されて当接される。これによって、嵌合溝９６からの嵌合爪９２の抜けが抑制され、保持片４８に対する消音材５０の相対移動が抑制される。このような構成でも、基本的には第１の実施の形態と同様の効果を得ることができる。
【００５７】
なお、上記の各実施の形態では、消音材５０は、比較的硬質の合成樹脂材によって形成されていた。しかしながら、消音材５０は、例えば、金属によって形成されてもよく、ゴム等の比較的軟質の合成樹脂材によって形成されてもよい。すなわち、消音材５０の材質に関しては、特定の材質に限定されることなく、広く適用が可能である。
【００５８】
また、上記の各実施の形態では、フラッパ３２の操作片４３は、消音材５０の当接部７８の上側面へ当接する構成、すなわち、フラッパ３２の操作片４３は、消音材５０の当接部７８に対して面接触する構成であった。しかしながら、例えば、上記の第２の実施の形態において、前板部７４の後側及び後板部７６の前側の各々に当接部７８を設けず、前板部７４及び後板部７６の角部の稜線部分を当接部とし、フラッパ３２の操作片４３が前板部７４及び後板部７６の角部の稜線部分に対して線接触する構成であってもよい。すなわち、フラッパ３２と当接部との当接態様は、面接触、線接触、点接触の何れであってもよく、また、消音部７２の弾性変形によってフラッパ３２と当接部との当接態様が面接触、線接触、点接触の何れかから面接触、線接触、点接触の他の何れかへ変化する構成であってもよい。
【００５９】
さらに、上記の各実施の形態では、衝撃吸収部材としての消音材５０がヨーク２２に保持される構成であった。しかしながら、衝撃吸収部材を保持する保持部材は、コイル１８によって形成された磁界の磁力が通過するためのヨーク２２とは別に設けられてもよく、また、保持部材の材質は、磁性体以外の金属や、合成樹脂材等の他の材質であってもよい。
【符号の説明】
【００６０】
１０  ソレノイド
１２  ソレノイド本体
１８  コイル
２２  ヨーク（保持部材）
３２  フラッパ
５０  消音材（衝撃吸収部材）
５４  係合部
６６  連結部
７８  当接部
【図１】
2020194822.tif 000003
【図２】
2020194822.tif 000004
【図３】
2020194822.tif 000005
【図４】
2020194822.tif 000006
【図５】
2020194822.tif 000007
【図６】
2020194822.tif 000008